(57)【特許請求の範囲】
【請求項１】
ハンガーレール内に移動可能に支持された複数のランナーからそれぞれスラットを吊下支持し、スラット操作装置により前記スラットを前記ハンガーレールに沿って引き出し及び畳み込み可能とした縦型ブラインドにおいて、
前記スラットは、異なる採光調節機能を備えた複数の第一のスラットと第二のスラットとで構成し、前記スラット操作装置は、前記第一及び第二のスラットをそれぞれ独立して前記ハンガーレールに沿って引き出し及び畳み込み可能としたことを特徴とする縦型ブラインド。
【請求項２】
前記第一のスラットは、前記ランナーのうち前記ハンガーレールの一端側に位置する複数のランナーから吊下支持し、前記第二のスラットは、前記ハンガーレールの他端側に位置する複数のランナーから吊下支持し、前記ハンガーレールの端部から垂下される操作装置の操作により前記ランナーをハンガーレールに沿って移動させて、前記第一及び第二のスラットをそれぞれ独立して引き出し及び畳み込み可能としたことを特徴とする請求項１記載の縦型ブラインド。
【請求項３】
前記操作装置は、第一のスラットを移動させるための第一の操作コードと、第二のスラットを移動させるための第二の操作コードとから構成し、第一及び第二のスラットの一方の引き出し動作に基づいて、他方を畳み込み可能としたことを特徴とする請求項２記載の縦型ブラインド。
【請求項４】
前記ハンガーレール内にチルトシャフトを回転可能に支持し、前記ハンガーレールに設けられたチルト装置の操作により前記チルトシャフトを回転させて、前記第一のスラット及び第二のスラットを独立して回動操作可能としたことを特徴とする請求項２乃至３のいずれかに記載の縦型ブラインド。
【請求項５】
前記チルトシャフトは、第一及び第二のチルトシャフトで構成し、前記第一及び第二のチルトシャフトを前記ランナーに挿通して該チルトシャフトの回転に基づいて前記スラットを回動可能とし、前記ハンガーレールの端部に設けられたチルト装置を操作して、前記第一のチルトシャフトを回転させることにより、前記第一のスラットのみを回動可能とし、前記第二のチルトシャフトを回転させることにより、前記第二のスラットのみを回動可能としたことを特徴とする請求項４記載の縦型ブラインド。
【請求項６】
ハンガーレール内に第一のランナー群と第二のランナー群とを移動可能に支持し、前記第一及び第二のランナー群は操作装置の操作に基づいてそれぞれ独立して移動可能とし、前記第一のランナー群は操作装置の操作に基づいて前記ハンガーレールの一端から他端に向かって各ランナーを等間隔に引き出し可能とし、前記第二のランナー群は操作装置の操作に基づいて前記ハンガーレールの他端から一端に向かって各ランナーを等間隔に引き出し可能としたことを特徴とする縦型ブラインドのスラット駆動装置。
【発明の詳細な説明】
【０００１】
【発明の属する技術分野】
この発明は、ハンガーレールから吊下支持されるスラットをハンガーレールに沿って移動させ、かつ回動させることにより採光量の調節を行う縦型ブラインドに関するものである。
【０００２】
【従来の技術】
縦型ブラインドは、ハンガーレールに多数のスラットが移動可能に支持され、同ハンガーレールの一端部に設けられた操作手段の操作により、各スラットをハンガーレールに沿って引き出し、あるいは畳み込み可能となっている。また、操作手段の操作により各スラットを回動させて、採光量を微調整可能となっている。
【０００３】
このような縦型ブラインドでは、スラットの材質は、レース状の布や厚手の布あるいは合成樹脂の膜等、種々用意され、設置場所に適した材質のスラットが選択されている。
【０００４】
【発明が解決しようとする課題】
上記のような縦型ブラインドでは、それぞれ一種類の材質のスラットが吊下支持される。
【０００５】
すると、光を透過させる材質のスラットが吊下支持される場合には、窓外の風景が透視可能であったり、あるいは柔らかな透過光を採り入れることができるが、外光を完全に遮光したり、夜間に室内のプライバシーを確保することはできない。
【０００６】
一方、光を透過しない材質のスラットが吊下支持される場合には、外光を完全に遮光したり、夜間に室内のプライバシーを確保することはできるが、柔らかな透過光を採り入れることはできない。
【０００７】
従って、一台の縦型ブラインドでは、スラットの材質が一種類に限定されるため、当該スラットの材質に応じた一種類の採光及び遮光機能を得ることしかできないという問題点がある。
【０００８】
この発明の目的は、一台で複数種類の採光調節機能を備えた縦型ブラインドを提供することにある。
【０００９】
【課題を解決するための手段】
請求項１では、ハンガーレール内に移動可能に支持された複数のランナーからそれぞれスラットを吊下支持し、スラット操作装置により前記スラットを前記ハンガーレールに沿って引き出し及び畳み込み可能とした縦型ブラインドにおいて、前記スラットは、異なる採光調節機能を備えた複数の第一のスラットと第二のスラットとで構成し、前記スラット操作装置は、前記第一及び第二のスラットをそれぞれ独立して前記ハンガーレールに沿って引き出し及び畳み込み可能とした。
【００１０】
請求項２では、前記第一のスラットは、前記ランナーのうち前記ハンガーレールの一端側に位置する複数のランナーから吊下支持し、前記第二のスラットは、前記ハンガーレールの他端側に位置する複数のランナーから吊下支持し、前記ハンガーレールの端部から垂下される操作装置の操作により前記ランナーをハンガーレールに沿って移動させて、前記第一及び第二のスラットをそれぞれ独立して引き出し及び畳み込み可能とした。
【００１１】
請求項３では、前記操作装置は、第一のスラットを移動させるための第一の操作コードと、第二のスラットを移動させるための第二の操作コードとから構成し、第一及び第二のスラットの一方の引き出し動作に基づいて、他方を畳み込み可能とした。
【００１２】
請求項４では、前記ハンガーレール内にチルトシャフトを回転可能に支持し、前記ハンガーレールに設けられたチルト装置の操作により前記チルトシャフトを回転させて、前記第一のスラット及び第二のスラットを独立して回動操作可能とした。
【００１３】
請求項５では、前記チルトシャフトは、第一及び第二のチルトシャフトで構成し、前記第一及び第二のチルトシャフトを前記ランナーに挿通して該チルトシャフトの回転に基づいて前記スラットを回動可能とし、前記ハンガーレールの端部に設けられたチルト装置を操作して、前記第一のチルトシャフトを回転させることにより、前記第一のスラットのみを回動可能とし、前記第二のチルトシャフトを回転させることにより、前記第二のスラットのみを回動可能とした。
【００１４】
請求項６では、ハンガーレール内に第一のランナー群と第二のランナー群とを移動可能に支持し、前記第一及び第二のランナー群は操作装置の操作に基づいてそれぞれ独立して移動可能とし、前記第一のランナー群は操作装置の操作に基づいて前記ハンガーレールの一端から他端に向かって各ランナーを等間隔に引き出し可能とし、前記第二のランナー群は操作装置の操作に基づいて前記ハンガーレールの他端から一端に向かって各ランナーを等間隔に引き出し可能とした。
【００１５】
【発明の実施の形態】
以下、この発明を具体化した一実施の形態を図面に従って説明する。図１及び図２に示す縦型ブラインドは、ハンガーレール１内に多数のランナー２ａ，２ｂが移動可能に支持されている。
【００１６】
前記各ランナー２ａ，２ｂには、図３に示すように、スラット吊下軸３が回動可能に支持され、各スラット吊下軸３から第一及び第二のスラット４，５がそれぞれ吊下支持されている。
【００１７】
前記第一のスラット４は光を透過させない厚布で形成され、前記第二のスラット５は光を若干透過させる薄布で形成される。そして、前記第一のスラット４は前記ランナー２ａ，２ｂのうち、ハンガーレール１の一端側に位置する半数のランナー２ａに吊下支持され、前記第二のスラット５は前記ランナー２ａ，２ｂのうち、ハンガーレール１の他端側に位置する半数のランナー２ｂに吊下支持される。
【００１８】
前記ハンガーレール１の一端には、前記第一のスラット４を吊下支持したランナー２ａをハンガーレール１に沿って移動させるための無端状の第一の操作コード６が垂下され、前記ハンガーレール１の他端には、前記第二のスラット５を吊下支持したランナー２ｂをハンガーレール１に沿って移動させるための無端状の第二の操作コード７が垂下されている。
【００１９】
図２に示すように、前記第一の操作コード６は、ハンガーレール１内において前記各ランナー２ａ，２ｂの上方を同ハンガーレール１の他端側に向かって案内され、同ハンガーレール１の他端部において、滑車８ａに掛装されている。
【００２０】
前記第二の操作コード７は、ハンガーレール１内において前記各ランナー２ａ，２ｂの上方を同ハンガーレール１の一端側に向かって案内され、同ハンガーレール１の一端部において、滑車８ｂに掛装されている。
【００２１】
前記第一のスラット４を支持するランナー２ａのうち、先頭ランナー２ａｆには同先頭ランナー２ａｆの上方に位置する２本の第一の操作コード６のうちの一方が結び付けられている。従って、ハンガーレール１の一端に垂下される第一の操作コード６を操作して、ハンガーレール１内で第一の操作コード６を移動させると、その第一の操作コード６の移動にともなって先頭ランナー２ａｆが移動するようになっている。
【００２２】
前記第二のスラット５を支持するランナー２ｂのうち、先頭ランナー２ｂｆには同先頭ランナー２ｂｆの上方に位置する２本の第二の操作コード７のうちの一方が結び付けられている。従って、ハンガーレール１の他側に垂下される第二の操作コード７を操作して、ハンガーレール１内で第二の操作コード７を移動させると、その第二の操作コード７の移動にともなって先頭ランナー２ｂｆが移動するようになっている。
【００２３】
前記第一及び第二の操作コード６，７の前記ハンガーレール１からの垂下端には、錘９がそれぞれ吊下支持されて、各操作コード６，７を常に一定の張力で緊張するようになっている。
【００２４】
図３に示すように、前記ハンガーレール１内には第一及び第二のチルトシャフト１０，１１が平行にかつ回転可能に支持され、各チルトシャフト１０，１１は前記各ランナー２ａ，２ｂに挿通されている。
【００２５】
そして、第一のチルトシャフト１０は前記ハンガーレール１の一端に垂下された第一のチルトポール１２の操作により回転駆動され、第二のチルトシャフト１１は前記ハンガーレール１の他端に垂下された第二のチルトポール１３の操作により回転駆動される。
【００２６】
前記第一及び第二のチルトシャフト１０，１１は、その長手方向に３条のスプライン１４が刻設されている。前記ランナー２ａ，２ｂ内にはウォーム機構が内蔵され、前記第一及び第二のチルトシャフト１０，１１は、そのウォーム機構を構成するウォーム軸の中心部に形成された挿通孔に挿通される。
【００２７】
すなわち、ランナー２ａにおいて、第一のチルトシャフト１０が挿通される挿通孔１５ａは、同チルトシャフト１０の回転方向に噛合う形状に形成され、同チルトシャフト１０が回転されると、ウォーム機構を介して前記スラット吊下軸３が回転される。
【００２８】
また、ランナー２ａにおいて、第二のチルトシャフト１１が挿通される挿通孔１５ｂは、同チルトシャフト１１には噛合わず、同チルトシャフト１１は挿通孔１５ｂ内で空回りする。
【００２９】
従って、ランナー２ａに吊下支持された第一のスラット４は、第一のチルトシャフト１０の回転に基づいてのみ回動される。
ランナー２ｂにおいて、第一のチルトシャフト１０が挿通される挿通孔１６ａは、同チルトシャフト１０には噛合わず、同チルトシャフト１０は挿通孔１６ａ内で空回りする。
【００３０】
また、ランナー２ｂにおいて、第二のチルトシャフト１１が挿通される挿通孔１６ｂは、同チルトシャフト１１の回転方向に噛合う形状に形成され、同チルトシャフト１１が回転されると、ウォーム機構を介して前記スラット吊下軸３が回転される。
【００３１】
従って、ランナー２ｂに吊下支持された第二のスラット５は、第二のチルトシャフト１１の回転に基づいてのみ回動される。
前記各先頭ランナー２ａｆ，２ｂｆ間において、前記第一のチルトシャフト１０には筒状のスペーサ１７が同チルトシャフト１０に沿って移動可能に支持されている。そして、先頭ランナー２ａｆ，２ｂｆは、このスペーサ１７によりその最小間隔が設定される。
【００３２】
また、前記各ランナー２ａｆ，２ａには、通常の縦型ブラインドと同様に、それぞれ後続のランナーとの最大間隔を設定するスペーサが取着され、各ランナー２ｂｆ，２ｂにも同様なスペーサが取着されている。
【００３３】
さて、このように構成された縦型ブラインドでは、第一の操作コード６を操作すると、先頭ランナー２ａｆがハンガーレール１内を移動して、第一のスラット４のハンガーレール１一端側から他端側に向かっての引き出し動作、あるいはハンガーレール１の他端側から一端側に向かっての畳み込み動作が行われる。
【００３４】
このとき、第二のスラット５が引き出されている状態で第一のスラット４の引き出し動作を行うと、第一のスラット４を支持する先頭ランナー２ａｆがスペーサ１７を介して第二のスラット５を支持する先頭ランナー２ｂｆをハンガーレール１他端側へ押し戻しながら移動する。
【００３５】
第二の操作コード７を操作すると、先頭ランナー２ｂｆがハンガーレール１内を移動して、第二のスラット５のハンガーレール１他端側から一端側に向かっての引き出し動作、あるいはハンガーレール１の一端側から他端側に向かっての畳み込み動作が行われる。
【００３６】
このとき、第一のスラット４が引き出されている状態で第二のスラット５の引き出し動作を行うと、第二のスラット５を支持する先頭ランナー２ｂｆがスペーサ１７を介して第一のスラット４を支持する先頭ランナー２ａｆをハンガーレール１一端側へ押し戻しながら移動する。
【００３７】
第一のチルトポール１２を回転操作すると、第一のチルトシャフト１０が回転され、ランナー２ａ，２ａｆに支持された第一のスラット４が回転される。また、第二のチルトポール１３を回転操作すると、第二のチルトシャフト１１が回転され、ランナー２ｂ，２ｂｆに支持された第二のスラット５が回転される。
【００３８】
上記のような縦型ブラインドでは、次に示す作用効果を得ることができる。
（１）第一及び第二の操作コード６，７を操作して、第一のスラット４をハンガーレール１の一端側に畳み込み、第二のスラット５をハンガーレール１の他端側へ畳み込むことにより、図１に示すように、縦型ブラインドを全開とすることができる。
【００３９】
（２）図４に示すように、第一の操作コード６を操作して、第一のスラット４をハンガーレール１の他端側まで引き出し、第一のチルトポール１２を操作して各スラット４を角度調節すると、厚布で形成された第一のスラット４による採光及び遮光機能を備えた縦型ブラインドを構成することができる。
【００４０】
（３）図５に示すように、第二の操作コード７を操作して、第二のスラット５をハンガーレール１の一端側まで引き出し、第二のチルトポール１３を操作して各スラット５を角度調節すると、薄布で形成された第二のスラット５による採光及び遮光機能を備えた縦型ブラインドを構成することができる。
【００４１】
（４）一台の縦型ブラインドで、異なる二種類の材質の第一及び第二のスラット４，５のいずれかの採光及び遮光機能を備えた縦型ブラインドを構成することができる。従って、使用時間帯、天候、部屋の使用状況等に応じて、採光調節機能を選択することができるとともに、目隠し機能及び部屋の雰囲気作りの選択等を適宜に行うことができる。
【００４２】
（５）第一のスラット４を引き出した場合と、第二のスラット５を引き出した場合とで異なる意匠の縦型ブラインドを構成することができる。
上記実施の形態は、次に示すように変更することもできる。
・第一及び第二の操作コード６，７は、ともにハンガーレール１の一端部に垂下させる構成としてもよい。
・第一及び第二のチルトポール１２，１３は、ともにハンガーレール１の一端部に垂下させる構成としてもよい。
・第一及び第二のスラット４，５は、それぞれ異なる材質であればよく、厚布及び薄布に限定されるものではない。
・第一及び第二のスラット４，５は、異なる採光調節機能を備えていればよい。例えば、第一及び第二のスラット４，５を金属あるいはその他の同一の材質の薄板で形成し、一方のスラットにパンチングにより小さな孔を多数形成し、他方のスラットには孔を形成しないようにすること、あるいは一方のスラットを織目の粗い布で形成し、他方のスラットを織目の細かい布で形成すること、あるいは第一及び第二のスラットの表面の光反射率あるいは光吸収率に差を設けて、各スラットで反射して室内に入射する光量に差を設けるようにすることとしてもよい。
【００４３】
【発明の効果】
以上詳述したように、この発明は一台で複数種類の採光調節機能を備えた縦型ブラインドを提供することができる。
【図面の簡単な説明】
【図１】一実施の形態の縦型ブラインドを示す斜視図である。
【図２】一実施の形態の縦型ブラインドを示す平面図である。
【図３】ハンガーレール内のランナーを示す斜視図である。
【図４】縦型ブラインドの動作を示す斜視図である。
【図５】縦型ブラインドの動作を示す斜視図である。
【符号の説明】
１            ハンガーレール
２ａ，２ｂ    ランナー
４            第一のスラット
５            第二のスラット
６            操作装置（第一の操作コード）
７            操作装置（第二の操作コード）
【図１】
0003545630.tif 000002
【図２】
0003545630.tif 000003
【図３】
0003545630.tif 000004
【図４】
0003545630.tif 000005
【図５】
0003545630.tif 000006